(57)【要約】    【課題】  保護対象である物品の表面から各種の付属物品が突出し、角当て部材の装着範囲内で物品の表面に凹凸・起伏が生じていても、角当て部材を安定・確実に物品の角部に装着することを課題とする。    【解決手段】  小口面が直交するパネル材の角部に装着される角当て部材１は、互いに直交して上記両小口面にそれぞれ対接する２つの小口受壁部１０，２０と、両小口受壁部１０，２０の互いに直交する側端部間に設けられて上記パネル材角部の表裏両面にそれぞれ対接する一対の平行な側壁部３０，３０とを有し、上記各壁部１０，２０，３０，３０によりパネル材の角部を収容する角部収容空間Ｘが形成されている。パネル材角部の少なくとも１つの面から外方に突出するパネル材付属物品との干渉を回避する孔部４０、凹部５０、及び開口を必要時に創出するための溝部６０を、対応する壁部１０，２０，３０に設ける。    【選択図】    図１
2005145518.tif 000002
【特許請求の範囲】
【請求項１】
パネル材の小口面が直交する角部に装着される角当て部材であって、互いに直交して上記両小口面にそれぞれ対接する第１、第２の小口受壁部と、両小口受壁部の両側部の互いに直交する側端部間に設けられ、上記パネル材角部の表裏両面にそれぞれ対接する一対の平行な側壁部とを有し、上記各壁部によりパネル材の角部を収容する角部収容空間が形成されていると共に、上記パネル材角部の両小口面及び表裏両面の少なくとも１つの面から外方に突出するパネル材付属物品との干渉を回避するように、対応する壁部に、干渉回避手段が設けられていることを特徴とする角当て部材。
【請求項２】
パネル材はドア部材であり、パネル材付属物品は、該ドア部材角部の縦方向の小口面から突出するボトムタイト作動用ピンであり、干渉回避手段は、上記小口面に対接する小口受壁部に上記ピンの突出位置に対応して開設されて該ピンを挿通させる孔部であることを特徴とする請求項１に記載の角当て部材。
【請求項３】
パネル材はドア部材であり、パネル材付属物品は、該ドア部材角部の横方向の小口面から突出する戸車であり、干渉回避手段は、上記小口面に対接する小口受壁部に上記戸車の突出位置に対応して延設されて該戸車を収容する凹部であることを特徴とする請求項１に記載の角当て部材。
【請求項４】
パネル材はドア部材であり、パネル材付属物品は、該ドア部材角部の表面又は裏面から突出する定規縁であり、干渉回避手段は、上記表面又は裏面に対接する側壁部に上記定規縁の突出位置に対応して形成されて該定規縁を外部に逃がす開口を必要に応じて創出するための溝部であることを特徴とする請求項１に記載の角当て部材。
【発明の詳細な説明】
【技術分野】
【０００１】
本発明は、物品の角部に装着されて該角部を保護する角当て部材に関し、物品の保護・梱包・保管・運搬の技術分野に属する。
【背景技術】
【０００２】
一般に、内装ドアやテーブル天板等の建具や室内家具調度品等は、保管時や運搬時等にその角部を周囲にぶつけて破損・損傷するのを防止するために、角当て部材と称される保護部材が角部に装着され、その状態で梱包、保管、運送等される。そして、従来、この種の角当て部材においては、様々な改良が提案されている。
【０００３】
例えば、特許文献１には、直方体形状の家具の角部に装着する角当て部材が開示されており、この角当て部材は、家具の角部を形成する３つの面とそれぞれ対接する３つの壁部を具備している。そして、家具を床に置いて保管するときに床と対接することになる壁部の外面にダボ足を凸設し、また３つの壁部の全てにおいてその内面に球頭凹部を凹設している。
【０００４】
このような構成により、上記ダボ足によって家具と床との間に隙間ができるから、この隙間にバール等の道具を差し込むことができて、家具の荷積み作業等が行い易くなるとしている。また、角当て部材を家具に装着した後に上記球頭凹部を押し潰すことにより、真空吸着作用が得られて、角当て部材が家具から脱落することが防止できるとしている。
【０００５】
【特許文献１】実開平１−１２８５６４号公報
【発明の開示】
【発明が解決しようとする課題】
【０００６】
ここで、上記従来技術等においては、保護対象である物品の表面が平坦であり、したがって、それと対接する角当て部材の壁部の内面も同様に平坦であることが前提となっている。ところが、例えば内装ドアのような建具を例にとっても明らかなように、バリアフリー対応のボトムタイト装置の作動用ピンや、戸車、あるいは定規縁等といった様々な金具や付属物品等が、上下の小口面（横方向に延びる小口面）や、左右の小口面（縦方向に延びる小口面）、あるいは表面・裏面等から外方に突出するように取り付けられることがあり、そのような付属物品等が角当て部材の装着範囲に存在していると、それが邪魔になって角当て部材を装着することができなくなったり、又は安定して装着することが困難になってしまう。その結果、例えば上記従来技術においては、角当て部材の壁部内面が家具の表面に密着せずに浮いてしまって、球頭凹部を押し潰しても真空吸着作用が十分に得られないことになる。
【０００７】
本発明は、上記のような不具合に対処しようとするもので、たとえ保護対象である物品の表面から各種の付属物品が突出し、角当て部材の装着範囲内で物品の表面に凹凸・起伏が生じていても、角当て部材を安定・確実に物品の角部に装着することを課題とする。以下、その他の課題を含め、本発明を詳しく説明する。
【課題を解決するための手段】
【０００８】
すなわち、本願の請求項１に記載の発明は、パネル材の小口面が直交する角部に装着される角当て部材であって、互いに直交して上記両小口面にそれぞれ対接する第１、第２の小口受壁部と、両小口受壁部の両側部の互いに直交する側端部間に設けられ、上記パネル材角部の表裏両面にそれぞれ対接する一対の平行な側壁部とを有し、上記各壁部によりパネル材の角部を収容する角部収容空間が形成されていると共に、上記パネル材角部の両小口面及び表裏両面の少なくとも１つの面から外方に突出するパネル材付属物品との干渉を回避するように、対応する壁部に、干渉回避手段が設けられていることを特徴とする。
【０００９】
次に、請求項２に記載の発明は、上記請求項１に記載の角当て部材において、パネル材はドア部材であり、パネル材付属物品は、該ドア部材角部の縦方向の小口面から突出するボトムタイト作動用ピンであり、干渉回避手段は、上記小口面に対接する小口受壁部に上記ピンの突出位置に対応して開設されて該ピンを挿通させる孔部であることを特徴とする。
【００１０】
次に、請求項３に記載の発明は、上記請求項１に記載の角当て部材において、パネル材はドア部材であり、パネル材付属物品は、該ドア部材角部の横方向の小口面から突出する戸車であり、干渉回避手段は、上記小口面に対接する小口受壁部に上記戸車の突出位置に対応して延設されて該戸車を収容する凹部であることを特徴とする。
【００１１】
そして、請求項４に記載の発明は、上記請求項１に記載の角当て部材において、パネル材はドア部材であり、パネル材付属物品は、該ドア部材角部の表面又は裏面から突出する定規縁であり、干渉回避手段は、上記表面又は裏面に対接する側壁部に上記定規縁の突出位置に対応して形成されて該定規縁を外部に逃がす開口を必要に応じて創出するための溝部であることを特徴とする。
【発明の効果】
【００１２】
上記請求項１に記載の発明によれば、たとえ保護対象であるパネル材の角部において、上下左右の小口面や表面・裏面等からパネル材付属物品が外方に突出していても、該付属物品との干渉を回避する対策が角当て部材に講じられているので、この角当て部材をパネル材の角部に装着したときに、各壁部がパネル材の各面から浮いたりせずに良好に密着し、常にこの角当て部材をパネル材の角部に安定・確実に装着することが可能となる。
【００１３】
次に、請求項２に記載の発明によれば、本発明に係る角当て部材をドア部材の保護に用いる場合に、該ドア部材の左右の小口面（縦方向に延びる小口面）からボトムタイト作動用ピンが突出していても、該ピンは、対応する小口受壁部に開設された孔部を挿通するから、これにより、上記ピンとの干渉を確実に回避しながら角当て部材をドア部材の角部に安定・確実に装着することができる。
【００１４】
次に、請求項３に記載の発明によれば、同様に、本発明に係る角当て部材をドア部材の保護に用いる場合に、該ドア部材の上下の小口面（横方向に延びる小口面）から戸車が突出していても、該戸車は、対応する小口受壁部に延設された凹部に収容されるから、これにより、上記戸車との干渉を確実に回避しながら角当て部材をドア部材の角部に安定・確実に装着することができる。
【００１５】
そして、請求項４に記載の発明によれば、同様に、本発明に係る角当て部材をドア部材の保護に用いる場合に、該ドア部材の表面又は裏面から定規縁が突出していても、該定規縁は、対応する側壁部に形成された開口（この開口は、対応する側壁部に設けられた溝部に沿って該側壁部の一部又は全部を除去することにより必要に応じて創出される）から外部に逃がされるから、これにより、上記定規縁との干渉を確実に回避しながら角当て部材をドア部材の角部に安定・確実に装着することができる。
【００１６】
なお、本発明においては、角当て部材の材質は特に限定されないが、例えば上記溝部に沿って側壁部を除去するときのことを考えると、カッタや手等を使って人手で容易に切断可能な材質を選定することが好ましい。そのような材質の例としては、例えば、ポリエチレン樹脂（ＰＥ）、ポリエチレンテレフタラート樹脂（ＰＥＴ）、ポリプロピレン樹脂（ＰＰ）等、柔らかく、可撓性・塑性変形性に富む各種の樹脂類が挙げられる。以下、実施の形態を通して、本発明をさらに詳しく説明する。
【発明を実施するための最良の形態】
【００１７】
本実施形態においては、本発明は、図１に示す角当て部材１に適用されている。この角当て部材１は、上下方向に広がる縦壁部（小口受壁部）１０と、水平方向に広がる横壁部（小口受壁部）２０と、これら２つの壁部１０，２０の両側に位置して上下方向に広がる左右一対の側壁部３０，３０とを有して、これら４つの壁部１０，２０，３０，３０により角部収容空間Ｘが画成されている。
【００１８】
図２に示すように、この角当て部材１は、例えば、保護対象である内装ドア１００の４隅の角部に装着される。その場合、角当て部材１の縦壁部（小口受壁部）１０は、内装ドア１００の角部において互いに直交する面のうち、左右の小口面（縦方向に延びる小口面）１０１と対接し、横壁部（小口受壁部）２０は、上下の小口面（横方向に延びる小口面）１０２と対接し、側壁部３０は、表面又は裏面１０３と対接する。そして、この角当て部材１を内装ドア１００の角部へ装着するときには、該角当て部材１を矢印Ａのように内装ドア１００に対して相対移動させて、内装ドア１００の角部を上記収容空間Ｘ内に突入させる。逆に、この角当て部材１を内装ドア１００の角部から取り外すときには、該角当て部材１を矢印Ｂのように相対移動させて、内装ドア１００の角部を上記収容空間Ｘから離脱させる。
【００１９】
なお、この角当て部材１は、内側の幅寸法（両側壁部３０，３０の内面間の距離）が内装ドア１００の幅寸法より若干小さくされており、内装ドア１００に装着したときには、該角当て部材１の材質が有する弾性復元力により、両側壁部３０，３０が内装ドア１００の表裏両面１０３，１０３を挟み付けるように押圧して、角当て部材１は内装ドア１００の角部に確実に係止する。
【００２０】
図１に戻り、縦壁部１０は、四角形状の単一壁で構成され、横壁部２０は、それよりも幅の狭い四角形状の単一壁２１と、該単一壁２１を間に挟んで両側に位置する左右一対の四角柱要素２２，２２とで構成され、側壁部３０，３０は、５つの辺を有するが略三角形状の単一壁で構成されている。
【００２１】
ここで、縦壁部１０の下端部と横壁部２０の単一壁２１の奥端部とが９０°に交差して連続している。また、横壁部２０の単一壁２１の左右側端部と四角柱要素２２，２２の下面とが面一に連続している。さらに、横壁部２０の四角柱要素２２，２２の奥端部が縦壁部１０の下部に突き当たって連続している。一方、側壁部３０，３０の奥端部と縦壁部１０の左右側端部とが９０°に交差して連続している。そして、側壁部３０，３０の下端部と横壁部２０の四角柱要素２２，２２の外側縦面とが面一に連続している。ここで、横壁部２０が、単一壁２１だけでなく、中空構造の四角柱要素２２，２２を備えることにより、有効な衝撃干渉作用が奏される。
【００２２】
そして、図３に示すように、縦壁部１０には円形の孔部４０が形成され、横壁部２０には上下小口面１０２の長さ方向に延びる凹部（段差）５０が形成され（この凹部５０は、単一壁２１とその両側の四角柱要素２２，２２の内側縦面とにより構成されている）、そして側壁部３０，３０には断面Ｖ字状の溝部６０，６０が形成されている。これらは特許請求の範囲における「干渉回避手段」に相当し、それぞれ次のように機能する。
【００２３】
まず、上記孔部４０は、例えば図４に示すように、内装ドア１００の左右の小口面１０１の比較的下部において横方に突出するボトムタイト作動用ピン１１０を挿通させるのに用いることができる。そのため、上記孔部４０の径は、上記ピン１１０の径と略同じに設定され、上記孔部４０の開設位置は、角当て部材１を上記ピン１１０が配置された角部に装着したときに、該ピン１１０と略同じ幅方向の位置、及び略同じ上下方向の位置に設定されている。
【００２４】
なお、ボトムタイトとは、周知のように、特にバリアフリー住宅等においてフロアをできるだけ平滑にしたことにより、内装ドアの下側の小口面とフロアとの間に隙間が生じてしまうような場合に、その隙間を塞ぐための遮蔽物を内装ドアの下側小口面等に備えるもので、これにより、ドア下部からのすきま風や音の浸入、及び明かり漏れ等が防止できる。そして、特に上記図４に例示した作動用ピン１１０は、当該ドア１００が住宅内で閉じられたときに、このピン１１０がドア枠で押されてドア１００の内部に押し込まれ、それに連動して図示しない遮蔽板がドア１００の下側小口面１０２から降下してフロアとの間の隙間を塞ぐようになっているものである。
【００２５】
その結果、図５に拡大して示すように、保護対象である内装ドア１００の左右の小口面１０１から上記ボトムタイト作動用ピン１１０のようなドア付属物品が突出していても、該付属物品１１０は、対応する縦壁部１０に開設された孔部４０を挿通するから、これにより、上記付属物品１１０との干渉を確実に回避しながらこの角当て部材１を内装ドア１００の角部に常に安定・確実に装着することが可能となり、例えば角当て部材１の上記縦壁部１０が内装ドア１００の左右小口面１０１から浮いたりするようなことがなく良好に密着する。
【００２６】
次に、上記凹部５０は、例えば図６に示すように、内装ドア１００の上下の小口面１０２の比較的端部において上方・下方に突出する戸車１２０を収容するのに用いることができる。そのため、上記凹部５０の幅は、上記戸車１２０の幅と略同じに設定され、上記凹部５０の延設位置は、角当て部材１を上記戸車１２０が配置された角部に装着したときに、該戸車１２０と略同じ幅方向の位置に設定されている。
【００２７】
その結果、図７に拡大して示すように、保護対象である内装ドア１００の上下の小口面１０２から上記戸車１２０のようなドア付属物品が突出していても、該付属物品１２０は、対応する横壁部２０に延設された凹部５０に収容されるから、これにより、上記付属物品１２０との干渉を確実に回避しながらこの角当て部材１を内装ドア１００の角部に常に安定・確実に装着することが可能となり、例えば角当て部材１の上記横壁部２０が内装ドア１００の上下小口面１０２から浮いたりするようなことがなく良好に密着する。なお、このとき、より詳しくは、内装ドア１００の上下小口面１０２は、横壁部２０のうちの四角柱要素２２，２２の上面と対接する。
【００２８】
次に、上記溝部６０は、例えば図８に示すように、内装ドア１００の表面又は裏面１０３の左右縁部において表側・裏側に突出する定規縁１３０を外部に逃がす開口を、必要に応じて創出するのに用いることができる。そのため、上記溝部６０は、角当て部材１を上記定規縁１３０が配置された角部に装着したときに、該定規縁１３０の輪郭と略同じ形状に走るように凹設されている。したがって、上記溝部６０に沿って側壁部３０の一部又は全部を除去することにより、定規縁１３０の輪郭と略同じ形状の開口６０ａが角当て部材１の側部に形成される。
【００２９】
その結果、図９に拡大して示すように、保護対象である内装ドア１００の表面又は裏面１０３から上記定規縁１３０のようなドア付属物品が突出していても、該付属物品１３０は、対応する側壁部３０に形成された開口６０ａから外部に逃がされるから、これにより、上記付属物品１３０との干渉を確実に回避しながらこの角当て部材１を内装ドア１００の角部に常に安定・確実に装着することが可能となり、例えば角当て部材１の上記側壁部３０が内装ドア１００の表面又は裏面１０３から浮いたりするようなことがなく良好に密着する。
【００３０】
なお、この場合、上記定規縁１３０は、内装ドア１００の表側・裏側だけでなく、左右横方にも突出しているので、上記溝部６０により形成された開口６０ａは、該定規縁１３０を表側・裏側のみならず左右横方にも逃がすことになる。
【００３１】
また、この場合、一方の側壁部３０の除去により、一対の側壁部３０，３０による挟付け押圧力が得られなくなるので、角当て部材１を内装ドア１００に装着した後は、例えば粘着テープ等の適宜の係止手段を用いて該角当て部材１を内装ドア１００の角部に確実に係止させるようにする。ただし、このような応急的な処置は、一方の側壁部３０を必要に応じて除去したときにだけ要求され、通常は両側壁部３０，３０による挟付け押圧力が得られるので、そのような応急処置は必要がない。
【００３２】
さらに、側壁部３０を上記溝部６０（より詳しくは、該溝部６０の底部）に沿って除去するときのことを考えると、この角当て部材１の材質としては、カッタや手等を使って人手で容易に切断可能な材質を選定することが好ましく、そのような観点から、本実施形態では、ポリエチレン樹脂（ＰＥ）や、ポリエチレンテレフタラート樹脂（ＰＥＴ）、あるいはポリプロピレン樹脂（ＰＰ）等、柔らかく、可撓性・塑性変形性に富む各種樹脂類を、例えばブロー成形する等して、上記角当て部材１を一体物に作製している。
【００３３】
以上説明した実施形態は、本発明を実施するための最良の形態ではあるが、本発明の趣旨を逸脱しない限り、なお種々の変更や省略が可能なことはいうまでもない。例えば、図５に示した縦壁部１０の孔部４０は、挿通させる付属物品に応じて、その形状、大きさ、数、及び開設位置等を様々に変更することができる。また、図１０に例示するように、孔部４０に代えて、縦壁部１０に縦に延びる凹部７０を設け、該縦凹部７０にボトムタイト作動用ピン等の左右小口面１０１から突出するドア付属物品を収容するようにしてもよい。
【００３４】
一方、図７に示した横壁部２０の凹部５０も、収容する付属物品に応じて、その形状、大きさ、数、及び延設位置等を様々に変更することができる。例えば、図１１（ａ）に示すように、１つの四角柱要素２２を間に挟んで両側に２つの水平壁２１，２１を配置して２つの凹部５０，５０を所定の間隔をあけて形成するようにしてもよい。これは、例えば、戸車が幅方向に２つ並設されているような保護対象物に好ましく使用し得る。また、図１１（ｂ）に示すように、１つの凹部５０を幅方向に偏らせて形成するようにしてもよい。これは、例えば、戸車が幅方向に偏倚して取り付けられているような保護対象物に好ましく使用し得る。さらには、図１１（ｃ）に示すように、四角柱要素２２に代えて、単一壁２１及び側壁部３０と連続する上記四角柱要素の内側縦面及び上面のみからなるＬ字面２２ａを採用することも可能である。このようにすると、角当て部材１の軽量化を図ることができる。
【００３５】
一方、図３の円内に拡大図示した側壁部３０の溝部６０ないし開口６０ａも、外部に逃がす付属物品に応じて、その形状、大きさ、数、形成位置、及び側壁部３０を全部除去するか又は一部のみ除去するか等を様々に変更することができる。なお、図３に拡大図示したように、側壁部３０を除去した後の開口６０ａ（図９参照）の下端部が四角柱要素２２の上面と面一となるように、Ｖ字凹溝６０の底部は四角柱要素２２の上面と高さが一致している（拡大円内に、側壁部３０を除去するときの切断線の１具体例を破線で図示してある）。そして、図３では、溝部６０が全体的に四角柱要素２２の上面より上方に位置している場合を例示しているが、これに代えて、図１２（ａ）に示すように、溝部６０を全体的に四角柱要素２２の上面より下方に配置してもよく、また、図１２（ｂ）に示すように、溝部６０を四角柱要素２２の上面の上方と下方とにまたがって配置してもよい。さらには、図１２（ｃ）に示すように、溝部６０を側壁部３０の内面に配置することもできる。
【００３６】
また、以上説明した実施形態では、保護対象物１００は、干渉を回避すべき付属物品を、角部を構成する面１０１，１０２，１０３，１０３のうちの１つの面にしか具備していなかったが、これに限らず、保護対象物１００は、付属物品を２つ以上の面に具備していてもよい。例えば、保護対象物１００は、縦方向の小口面１０１のボトムタイト作動用ピン１１０と、横方向の小口面１０２の戸車１２０とを同時に具備していてもよい。
【００３７】
なお、その場合、角当て部材１は、孔部４０、凹部５０及び溝部６０のうちの２つ以上の干渉回避手段を隣接する相異なる壁部に備えることになるが、特にこのように、単一の角当て部材１に方向の異なる複数の干渉回避手段を組み合わせて用いるときは、少なくともそのうちの１つの干渉回避手段を長さ方向に延びる凹部とするとよい。角当て部材１を保護対象物１００に装着する際に、該角当て部材１と保護対象物１００との相対移動が外方に突出する付属物品によって阻害されることがなくなり、好ましい結果が得られるからである。
【００３８】
また、逆に、以上説明した実施形態のように、保護対象物１００が付属物品を１つの面にしか具備していない場合には、角当て部材１は、孔部４０、凹部５０及び溝部６０のうち、その付属物品に対応する１つの干渉回避手段のみ備えていればよい。
【００３９】
そして、上記実施形態においては、横壁部２０の凹部５０は、ボトムタイト装置の遮蔽板との干渉回避用としても機能し得る。すなわち、前述したように、上記実施形態においては、ドア１００の縦方向の小口面１０１に設けられたボトムタイト作動用ピン１１０がドア１００の内部に押し込まれると、それに連動して遮蔽板がドア１００の横方向の小口面１０２から降下するようになっているので、角当て部材１の装着後に上記ピン１１０が不測に押されて上記遮蔽板が横方向の小口面１０２から突出した場合でも、該遮蔽板は凹部５０に収容され、その結果、遮蔽板と横壁部２０との干渉が回避されて、角当て部材１がドア１００から脱落するというような不具合がなくなる。
【００４０】
また、図１３に示したように、例えば角当て部材１の側壁部３０，３０にコ字状に切り込みを入れ、その結果形成された片８０，８０を内側に立ち起こして、その先端部を角部収容空間Ｘ内に若干量突出させるようにしてもよい。この切り起し片８０，８０は、角部収容空間Ｘに突入した内装ドア１００の幅寸法が不測に小さい場合でも、該内装ドア１００の表裏両面１０３，１０３を挟み付けるように押圧する押圧片として機能し、これにより、この角当て部材１を内装ドア１００に装着したときに、該角当て部材１が保護対象である内装ドア１００の角部から脱落するのが確実に防止される。
【産業上の利用可能性】
【００４１】
以上、具体例を挙げて詳しく説明したように、本発明は、たとえ保護対象である物品の表面から各種の付属物品が突出し、角当て部材の装着範囲内で物品の表面に凹凸・起伏が生じていても、角当て部材を安定・確実に物品の角部に装着することができる。本発明は、内装ドアや吊り戸等の建具、あるいはキャビネットやテーブル天板等の室内家具調度品等のインテリア製品をはじめとする、各種様々な物品の保護・梱包・保管・運搬の技術分野において幅広い産業上の利用可能性を有する。
【図面の簡単な説明】
【００４２】
【図１】本発明の実施の形態に係る角当て部材の斜視図である。
【図２】上記角当て部材を４隅の角部に装着した内装ドアの正面図である。
【図３】上記角当て部材の縦壁部に向かう正対図であり、かつＶ字凹溝の構成を拡大円内に示すものである。
【図４】左右の小口面の比較的下部からボトムタイト作動用ピンが横方に突出する内装ドアの斜視図である。
【図５】角当て部材の縦壁部に設けた孔部の作用を示す拡大斜視図である。
【図６】上下の小口面の比較的端部から戸車が上方・下方に突出する内装ドアの斜視図である。
【図７】角当て部材の横壁部に設けた凹部の作用を示す拡大斜視図及び図３と類似の正対図である。
【図８】表面又は裏面の左右縁部から定規縁が表側・裏側に突出する内装ドアの斜視図である。
【図９】角当て部材の側壁部に設けた溝部及び開口の作用を示す拡大斜視図及び部分平面図である。
【図１０】本発明の他の実施の形態に係る角当て部材を示す図５と類似の斜視図である。
【図１１】凹部のいくつかの変形例を示す図３の下部と類似の正対図である。
【図１２】溝部のいくつかの変形例を示す図３の拡大円内と類似の部分拡大図である。
【図１３】本発明のさらに他の実施の形態に係る角当て部材を示す図３と類似の正対図である。
【符号の説明】
【００４３】
１        角当て部材
１０      縦壁部（小口受壁部）
２０      横壁部（小口受壁部）
３０      側壁部
４０      孔部（干渉回避手段）
５０      凹部（干渉回避手段）
６０      側壁部除去用溝部（干渉回避手段）
１００    内装ドア
１０１    左右小口面
１０２    上下小口面
１０３    表面、裏面
１１０，１２０，１３０  付属物品
Ｘ        角部収容空間
【図１】
2005145518.tif 000003
【図２】
2005145518.tif 000004
【図３】
2005145518.tif 000005
【図４】
2005145518.tif 000006
【図５】
2005145518.tif 000007
【図６】
2005145518.tif 000008
【図７】
2005145518.tif 000009
【図８】
2005145518.tif 000010
【図９】
2005145518.tif 000011
【図１０】
2005145518.tif 000012
【図１１】
2005145518.tif 000013
【図１２】
2005145518.tif 000014
【図１３】
2005145518.tif 000015